(57)【特許請求の範囲】
【請求項１】
厚さ方向の一方の面が光入射面とされ他方の面が光出射面とされた光拡散板であって、
透光性樹脂中に第１の拡散材を分散してなる第１の拡散層と、前記拡散層に該拡散層を厚さ方向の両面から狭持するように積層された、透光性樹脂中に前記第１の拡散材より小さい粒径の第２の拡散材を分散してなる一対の第２の拡散層を有し、
前記一方の第２の拡散層の前記第１の拡散層と反対の面を前記光入射面とし、前記他方の第２の拡散層の前記第１の拡散層と反対の面を前記光出射面とし、
前記光入射面の表面ヘイズ値が２０％以上であり、および前記光入射面の凹凸の平均間隔であるＳｍ値が２０μｍ以上３００μｍ未満である、
ことを特徴とする光拡散板。
【請求項２】
請求項１に記載の光拡散板において、
前記第１の拡散材の平均粒径６μｍであり、前記第２の拡散材の平均粒径３μｍであることを特徴とする光拡散板。
【請求項３】
請求項１または２記載の光拡散板において、
前記第１及び第２の拡散層の少なくとも１層以上の透光性樹脂に紫外線吸収剤を添加したことを特徴とする光拡散板。
【請求項４】
請求項１〜請求項３に記載の光拡散板において、
前記光入射面の表面粗さが規則的であることを特徴とする光拡散板。
【請求項５】
請求項１〜請求項４に記載の光拡散板において、
前記光出射面に拡散層を積層したフィルムを積層することを特徴とする光拡散板。
【請求項６】
光源と、請求項１乃至５の何れか１項記載の光拡散板とを少なくとも備える、
ことを特徴とするディスプレイ用バックライトユニット。
【請求項７】
画素単位での透過／遮光に応じて表示画像を規定する画像表示素子と、
前記画像表示素子の背面に設けられた請求項７記載のバックライトユニットとを備える、
ことを特徴とする表示装置。
【発明の詳細な説明】
【技術分野】
【０００１】
本発明は、直下型液晶バックライト用光拡散板に関する。詳しくは液晶バックライト用部材として用いた際に、光源ランプのランプイメージ効果に優れた光拡散板と、その拡散板を用いたディスプレイ用バックライトユニット、表示装置に関するものである。
【背景技術】
【０００２】
近年、ＴＦＴ型液晶パネルやＳＴＮ型液晶パネルを使用した液晶表示装置は、主としてＯＡ分野のカラーノートＰＣ（パーソナルコンピュータ）を中心に商品化されている。
【０００３】
このような液晶表示装置においては、液晶パネルの背面側（観察者側）に光源を配置し、この光源からの光で液晶パネルを照明する方式、いわゆる、バックライト方式が採用されている。
【０００４】
この種のバックライト方式に採用されているバックライトユニットとしては、大別して冷陰極管（ＣＣＦＴ）等の光源ランプを、光透過性に優れたアクリル樹脂等からなる平板状の導光板内で多重反射させる「導光板ライトガイド方式」（いわゆる、エッジライト方式）と、導光板を用いない「直下型方式」とがある。
【０００５】
導光板ライトガイド方式のバックライトユニットが搭載された液晶表示装置としては、例えば、図７に示すものが一般に知られている。
【０００６】
これは、上部に偏光板７１，７３に挟まれた液晶パネル７２が設けられ、その下面側に、略長方形板状のＰＭＭＡ（ポリメチルメタクリレート）やアクリル等の透明な基材からなる導光板７９が設置されており、該導光板の上面（光射出側）に拡散フィルム（拡散層）７８が設けられている。
【０００７】
さらに、この導光板７９の下面に、導光板７９に導入された光を効率よく上記液晶パネル７２方向に均一となるように散乱して反射されるための散乱反射パターン部が印刷などによって設けられる（図示せず）と共に、散乱反射パターン部下方に反射フィルム（反射層）７７が設けられている。
【０００８】
また、上記導光板７９には、側端部に光源ランプ７６が取り付けられており、さらに、光源ランプ７６の光を効率よく導光板７９中に入射させるべく、光源ランプ７６の背面側を覆うようにして高反射率のランプリフレクター８１が設けられている。上記散乱反射パターン部は、白色である二酸化チタン（ＴｉＯ２）粉末を透明な接着剤等の溶液に混合した混合物を、所定パターン、例えばドットパターンにて印刷し乾燥、形成したものであり、導光板７９内に入射した光に指向性を付与し、光射出面側へと導くようになっており、高輝度化を図るための工夫である。
【０００９】
さらに、最近では、光利用効率をアップして高輝度化を図るべく、図８に示すように、拡散フィルム７８と液晶パネル７２との間に、光集光機能を備えたプリズムフィルム（プリズム層）７４，７５を設けることが提案されている。このプリズムフィルム７４，７５は導光板７９の光射出面から射出され、拡散フィルム７８で拡散された光を、高効率で液晶パネル７２の有効表示エリアに集光させるものである。
【００１０】
一方、直下型方式は、導光板の利用が困難な大型の液晶ＴＶなどの表示装置が用いられている。
【００１１】
直下型方式の液晶表示装置としては、図９に例示する装置が一般的に知られている。これにおいては、上部に偏光板７１、７３に挟まれた液晶パネル７２が設けられ、その下面側に、蛍光管等からなる光源５１から射出され、拡散フィルム８２のような光学シートで拡散された光を、高効率で液晶パネル７２の有効表示エリアに集光させるものである。光源５１からの光を効率よく照明光として利用するために、光源５１の背面には、リフレター５２が配置されている。
【００１２】
直下型方式に用いられている拡散板は、表示装置の構成上線状光源の光を散乱させ、なおかつ光源が透けて見えないことが求められるため、光散乱粒子が配合されており、近年の直下型方式の急増に合わせて様々な開発が行われてきた。その開発の多くは高透過、高拡散を目的とし。光散乱微粒子の種類や粒径、配合量を制御するものである。
【００１３】
しかしながら、図９に例示する装置でも、視野角の制御は、拡散フィルム８２の拡散性のみに委ねられており、その制御は難しく、ディスプレイの正面方向の中心部は明るく、周辺部に行くほど暗くなる特性は避けられない。そのため、液晶画面を横から見たときの輝度の低下が大きく、光の利用効率の低下を招いていた。
【００１４】
そのため一つの解決方法として、図１１に示すように従来より拡散フィルム７０の上に図１０に示す米国３Ｍ社の登録商標である輝度強調フィルム（Ｂｒｉｇｈｔｎｅｓｓ  Ｅｎｈａｎｃｅｍｅｎｔ  Ｆｉｌｍ：ＢＥＦ）を配置し、さらにその上に光拡散フィルム８４を配置する方法が採用されている。ここでＢＥＦとは、透明部材上に断面三角形状の単位プリズムが一方向に周期的に配列されたフィルムである。
このプリズムは光の波長に比較して大きいサイズピッチである。ＢＥＦは、“軸外（ｏｆｆ−ａｘｉｓ）”からの光を集光し、この光を視聴者に向けて“軸上（ｏｎ−ａｘｉｓ）”に方向転換（ｒｅｄｉｒｅｃｔ）または“リサイクル（ｒｅｃｙｃｌｅ）”する。
【００１５】
ディスプレイの使用時（観察時）に、ＢＥＦは、軸外輝度を低下させることによって軸上輝度を増大させる。ここでいう「軸上」とは、視聴者の視覚方向に一致する方向であり、一般的にはディスプレイ画面に対する法線方向側である。
プリズムの反復的アレイ構造が１方向のみの並列では、その並列方向での方向転換またはリサイクルのみが可能であり、水平および垂直方向での表示光の輝度制御を行なうために、プリズム群の並列方向が互いに略直交するように、２枚のシートを重ねて組み合わせて用いられる。
【００１６】
ＢＥＦの採用により、ディスプレイ設計者が電力消費を低減しながら所望の軸上輝度を達成することができるようになった。
ＢＥＦに代表されるプリズムの反復的アレイ構造を有する輝度制御部材をディスプレイに採用する旨が開示されている特許文献としては、特許文献１乃至３に例示されるように多数のものが知られている。
上記のようなＢＥＦを輝度制御部材として用いた光学シートでは、屈折作用によって、光源からの光が、最終的には、制御された角度でフィルムより出射されることによって、視聴者の視覚方向の光の強度を高めるように制御することができる。
【００１７】
しかしながら、同時に視聴者の視覚方向に進むことなく横方向に無駄に出射する、想定外の光線が存在する。このため、図１２の点線Ｂで示すように、ＢＥＦを用いた光学シートから出射される光強度分布は、視聴者の視覚方向、すなわち視覚方向Ｆに対する角度が０°（軸上方向にあたる）における光強度が最も高められるものの、正面より±９０°近辺に小さな光強度ピークが生じ、即ち、横方向から無駄に出射される光（サイドローブ）が増えてしまうという問題がある。
【００１８】
また、軸上輝度のみが過度に向上すると、輝度分布の曲線のピーク幅が著しく狭くなり、視域が極端に限定されるため、ピーク幅を適度に拡げるために、図１１に示すプリズムシートとは別部材の光拡散フィルム３００を新たに併用する必要があり、部材数の増加を伴ってしまうという問題がある。
【００１９】
上述のように、この光学シートは、光の利用効率の向上だけでなく、光源のムラの除去、ランプイメージ消し、ディスプレイの視域の確保など様々な機能が求められており、一般的には複数枚の光学シートを重ね合わせることによって構成されている。しかしながら、光学シートの構成枚数が多いと、ディスプレイの組立て時の作業が煩雑になり、また光学シートの間のゴミの影響を受ける、などの問題がある。
【００２０】
ところで、またこのような液晶表示装置では、軽量、低消費電力、高輝度、薄型化であることが市場ニーズとして強く要請されており、それに伴い、液晶表示装置に搭載されるバックライトユニットも、軽量、低消費電力、高輝度であることが要求されている。
特に、最近、目覚しい発展をみるカラー液晶表示装置においては、液晶パネルのパネル透過率がモノクロ対応の液晶パネルに比べ格段に低く、そのため、バックライトユニットの輝度向上を図ることが、装置自体の低消費電力を得るために必須となっている。
【００２１】
しかしながら、上述したように従来の装置では、高輝度、低消費電力の要請に充分に応えられているとは言いがたく、ユーザからは、低価格、高輝度、高表示品位で、かつ低消費電力の液晶表示装置を実現できる光学シートおよびそれを用いたバックライトユニット、ディスプレイ装置の開発が待ち望まれている。
【特許文献１】特公平１−３７８０１号公報
【特許文献２】特開平６−１０２５０６号公報
【特許文献３】特表平１０−５０６５００号公報
【発明の開示】
【発明が解決しようとする課題】
【００２２】
本発明は、光拡散板の構成を最適化にして、出射光の配光分布を変化させる光拡散板及びこの光拡散板を用いたバックライトユニット、ディスプレイ装置を提供し、ライトイメージを低減することにより高表示品位化、低価格化を図ることを目的とする。
【課題を解決するための手段】
【００２３】
上記目的を達成するために、本発明では、以下のような手段を講じる。
すなわち、請求項１の発明は、
厚さ方向の一方の面が光入射面とされ他方の面が光出射面とされた光拡散板おいて、
透光性樹脂中に第１の拡散材を分散してなる第１の拡散層と、前記拡散層に該拡散層を厚さ方向の両面から狭持するように積層された、透光性樹脂中に前記第１の拡散材より小さい粒径の第２の拡散材を分散してなる一対の第２の拡散層を有し、
前記一方の第２の拡散層の前記第１の拡散層と反対の面を前記光入射面とし、前記他方の第２の拡散層の前記第１の拡散層と反対の面を前記光出射面とし、
前記光入射面の表面ヘイズ値が２０％以上であり、および前記光入射面の凹凸の平均間隔であるＳｍ値が２０μｍ以上３００μｍ未満であることを特徴とする。
請求項２の発明は、請求項１に記載の光拡散板において、
前記第１の拡散材の平均粒径６μｍであり、前記第２の拡散材の平均粒径３μｍであることを特徴とする。
請求項３の発明は、請求項１または２記載の光拡散板において、
前記第１及び第２の拡散層の少なくとも１層以上の透光性樹脂に紫外線吸収剤を添加したことを特徴とする。
請求項４の発明は、請求項１〜請求項３に記載の光拡散板において、
前記光入射面の表面粗さが規則的であることを特徴とする。
請求項５の発明は、請求項１〜請求項４に記載の光拡散板において、
前記光出射面に拡散層を積層したフィルムを積層することを特徴とする。
請求項６の発明は、ディスプレイ用バックライトユニットであって、光源と、請求項１乃至５の何れか１項記載の光拡散板とを少なくとも備えることを特徴とする。
請求項７の発明は、
画素単位での透過／遮光に応じて表示画像を規定する画像表示素子と、
前記画像表示素子の背面に設けられた請求項７記載のバックライトユニットとを備える、
ことを特徴とする表示装置である。
【発明の効果】
【００２４】
上述したように、本発明に係る光拡散板は、図１１に示す拡散シート３００を使用しなくても、図１２の実線Ａで示す光強度分布が得られ、ライトイメージ低減効果を達成することが可能であるため、部材数削減に伴う薄型化、低価格化が可能である。また、レンズシートと拡散板を固定要素を介して一体化することにより、組み立て工程の簡素化が図れ、薄型で、十分な強度を保持したまま、所望のライトイメージ効果、均一性などが得られる、バックライトユニット、ディスプレイ装置を提供することができる。
【発明を実施するための最良の形態】
【００２５】
以下に、本発明を実施するための最良の形態を説明する。
まず本発明の実施の形態を図３に示し、バックライトユニット４４は、ランプハウス４３内に収納されたシリンダー形状の複数の光源４１と、各光源４１からの光Ｈを液晶パネル３２に供給する光学シート３９を備えてなる。なお、液晶パネル３２は、液晶３５が偏光板３１，３３で挟まれて構成され、図中４５は、複数の光源４１の背面側に配置された光反射板である。
また、本発明の実施の形態に係るディスプレイ装置Ｌは、前述の光源４１と光学シート３９とさらにその上に液晶パネル３２を含んだ装置である。この場合は、ディスプレイ装置Ｌは液晶表示装置を示すが、これに限らず、上述の光学シート３９を含んだ、投射スクリーン装置、プラズマディスプレイ、ＥＬディスプレイ等画像を光利用して表示する表示装置であればその種類は問わない。
【００２６】
直下型バックライトは、光を散乱や集光させる光拡散板１が使用されており、光源４１側に用いられ、光の利用効率を高めて、光源４１の裏面には、通常反射板や反射フィルムが配置されている。
【００２７】
光源４１は、本実施の形態では、蛍光灯などの線状光源であり、液晶ディスプレイ用には、通常冷陰極管が用いられる。
【００２８】
光拡散板１は、透明樹脂とこの透明樹脂の中に分散された光拡散材（粒子）から構成されている。
【００２９】
光拡散板１に使用される透明樹脂としては、例えば、ポリカーボネート樹脂、アクリル系樹脂、フッ素系アクリル樹脂、シリコーン系アクリル樹脂、エポキシアクリレート樹脂、ポリスチレン樹脂、シクロオレフィンポリマー、メチルスチレン樹脂、フルオレン樹脂、ＰＥＴ、ポリプロピレン等を使用することができる。
【００３０】
また、前記透明樹脂中に分散される光拡散材としては、無機酸化物からなる粒子又は樹脂からなる粒子が使用できる。例えば、無機酸化物からなる粒子としてはシリカやアルミナ等からなる粒子を挙げることができる。また、樹脂からなる粒子としては、アクリル粒子、スチレン粒子、スチレンアクリル粒子及びその架橋体、メラミン−ホルマリン縮合物の粒子、ＰＴＦＥ（ポリテトラフルオロエチレン）、ＰＦＡ（ペルフルオロアルコキシ樹脂）、ＦＥＰ（テトラフルオロエチレン−ヘキサフルオロプロピレン共重合体）、ＰＶＤＦ（ポリフルオロビニリデン）、及びＥＴＦＥ（エチレン−テトラフルオロエチレン共重合体）等の含フッ素ポリマー粒子、シリコーン樹脂粒子等を挙げることができる。
【００３１】
ここで、光拡散板１は、透明樹脂とこの透明樹脂の中に分散される光拡散材とを具備して構成されており、これら透明樹脂の屈折率と光拡散材の屈折率は、十分な光拡散特性を得るために異なる必要がある。透明樹脂の屈折率と光拡散材の屈折率の差は０．０２以上であることが望ましい。
【００３２】
そして、これら透明樹脂中に光拡散材を分散して、押出し成型することにより、板状の光拡散板１を製造することができる。光拡散板１の厚みは、１〜５ｍｍであることが望ましく、厚さ方向の一方の面が光入射面１００とされ、他方の面が光出射面１０１とされる。
厚みが１ｍｍ未満の場合、光拡散板１は薄くコシがないのでたわむという欠点がある。一方５ｍｍを越えると、光源４１からの光の透過率が悪くなるという欠点がある。
【００３３】
図１（ａ）は、本発明に係る光拡散板１の一実施形態について示したものであり、透明樹脂の中に大きさや種類が異なる２種類の第１の拡散材７と第２の拡散材８が分散されている。この光拡散板１は、透明樹脂中に大きさや種類が異なる少なくとも２種類以上の拡散材を配合し押出し成形で製作する。
【００３４】
また図１（ｂ）は、本発明に係る光拡散板１の一実施形態について示したものであり、第１の拡散材７が分散されてなる拡散層の上に第２の拡散材８が分散されてなる層が積層し、更にその上に第１の拡散材７が分散されてなる層を積層したものである。この光拡散板１は、互いに異なる拡散材を含有する複数の拡散層が積層されて構成された多層構成であり、積層押出機により製作される。
本発明の光拡散板１の光入射面１００の表面状態は、特定のマット形状である。そのマット形状は、ランプイメージを防止するための効果をだす。
【００３５】
通常、光入射面１００の表面状態の凹凸を粗さで数値化する事が多いが、本発明では、光入射面１００の表面状態を表面ヘイズ値とＳｍ値で表した。ヘイズ値は大きければ大きいほど、光入射面１００での散乱が多くなり、逆に小さければ、表面散乱が少なくなる。同時にＳｍ値は、小さければ、表面凹凸が細かくなる。
なお、光入射面１００の表面粗さが規則的であると、表面粗さが不規則なものと比較して一定の散乱効果を得る上で有利となり、また、表面粗さが規則的なものは押出機により製作し易い。
また、透光性樹脂に含有する光拡散材のうち、平均粒径３μｍ以下の光拡散剤を少なくとも１種類以上含ませる。これは、光拡散材の平均粒径が３μｍを超えるものだけであると、光源４１からの光がすす抜けになり、ヘイズを高くすることができないためであり、平均粒径３μｍ以下の光拡散剤を少なくとも１種類以上含ませると、ヘイズを調整する上で有利となる。
また、光拡散板１の少なくとも１層以上の透光性樹脂に紫外線吸収剤を添加すると、光源４１からの紫外線により光拡散板１を構成するポリカなどの透明樹脂の劣化を防止する上で有利となる。
【００３６】
本発明は、光入射面１００の表面ヘイズ値２０％以上、Ｓｍ値２０〜３００μｍであり、このような光入射面１００と拡散剤とあわせることで、ランプイメージ防止効果が得られる。その表面ヘイズ値の調整方法には、いくつか考えられる。凹凸を物理的に賦型する場合は、金型の表面状態を調整する。押出条件で光拡散剤をブリードアウトさせる場合は光拡散剤の量や粒径及び拡散層の厚さで調整を行う。
【００３７】
押出法は押出機で熱可塑性樹脂を加熱溶融させ、Ｔダイから押出し、板状に成形する。共押出法は積層板の場合に用い、複数台の押出機を用い、フィードブロックダイやマニホールドダイなどの積層ダイから、積層押出しを行い、複層板状に成形する。
【００３８】
光拡散板１の観察面側にレンズシートを積層して用い、明るさ、配光特性等の光学特性最適化を行う。その積層方法は、重ね合わせるだけでも良いが、固定要素を介して貼り合わせてもよい。
本実施の形態では、光拡散板１の光出射面１０１側とレンズシート４の入射面１０２の間に設けられ、光拡散板１とレンズシート４の空隙２００を保持しながら接着剤または粘着剤等で固定する固定要素３を有している。
なお、光出射面１０１に、拡散層を積層したフィルムを積層するようにすると、一つの透明樹脂に複数の光拡散材を混ぜるのと同じ効果が得られ、また、複数の層を用いるので、ある層を加えたり取り除いたりすることでヘイズの微調整を容易に行え、所望の光学特性を有する光拡散板１を得る上で有利となる。
【００３９】
レンズシート４について説明する。
レンズシート４は、出射面１０３に多数の凸シリンドリカル形状の単位レンズが並列して形成されたものであり、透明樹脂から構成されるレンズシート４中に粒子を分散させて構成されている。
【００４０】
上述のレンズシート４は、図３より、光源４１から光拡散板１及び空隙（空気層）２００を伝達してきた光を入射する入射面１０２から入射し、さらにその光を出射面１０３から光学利得が１以上で出射するものである。
【００４１】
ここで光学利得とは、光学的な拡散部材の拡散性を示す指標の一つであり、完全拡散する拡散体の輝度を１として、その光の輝度との比で表される。測定する拡散部材の拡散性が方向によって偏っている場合、方向ごとの光学利得を出すことで、その拡散部材の拡散特性を示すことが出来る。
また、完全拡散とは、吸収が０で、かつ、どの方向にも一定の強度をもつとする理想的な拡散体のことを示す。つまり、光学利得が１以上であるということは、その測定する方向に光を集める効果を持つことを示し、その値が大きいほど集光効果が強いことを示す。
【００４２】
図２は光学シュミレーション（ＲａｙＴｒａｃｉｎｇシミュレーション）によるレンズの説明図である。
図２（ａ）は通常の単位レンズシートの一つの単位レンズから正面方向（０度）に出る光線を示す。これよりレンズの全面から光線が出ることが分かる。
図２（ｂ）に示しているのは図２（ａ）と同じ単位レンズシートの単位レンズの正面方向ではなく垂直斜め方向近辺（６０度〜９０度）に出る光を示す。これより図２（ｂ）の斜め方向の光はレンズの頂点付近３０２からしか出ないことが分かる。
すなわち、レンズシート４から出る全体の輝度分布において光のロスになるサイドローブと呼ばれる部分はレンズシート４の各単位レンズの頂点付近から出射される光である。
【００４３】
本発明の光拡散板１は、バックライトの輝度向上に用いる用途以外にも、ＬＣＤ、ＥＬやＰＤＰなどディスプレイの視野角コントロールフィルムや、コントラスト向上フィルム、太陽電池用の光制御フィルム、投射スクリーンなどに用いることができる。
【００４４】
本発明の光拡散板１は、光源が、冷陰極蛍光ランプの場合はもちろん、近年、ディスプレイ用光源として注目を浴びているＬＥＤ、ＥＬ（図５）、半導体レーザー等を用いたディスプレイ装置にも用いることができる。
【００４５】
ここで、ディスプレイ装置の光源５１としてＬＥＤを用いる場合、図６（ａ）に示すように、赤色、緑色、青色のＬＥＤのアレイを使用し、導光板等で赤色、緑色、青色のＬＥＤのアレイからの光を混ぜ合わせ白色光として均一に出射するものや、図６（ｂ）に示すように拡散板等を用いた赤色、緑色、青色のＬＥＤのアレイからの光を混ぜ合わせ白色光として均一に出射することができるものにも使用できる。
【００４６】
またバックライトユニットにおいては、ますます薄型化が進んでおり、それに従い光源５１と光学シート３９の距離も短くなっているが、本発明の光拡散板１を使用すれば直下型や図４に示すサイドエッジ型の導光板４７を用いたバックライトユニット、あるいは図５に示すＥＬ光源４９を用いたバックライトユニットにおいても、光源ランプ同士の間に暗い箇所が生じる等視認性の影響はなく十分に使用することができる。
さらにディスプレイ装置もますます大型化の一途をたどっており、それに伴い光学シート３９のサイズも大きくなっていくが、本発明の光拡散板１は薄くて強度が強く、さらに表示品位も優れているためこういった大型ディスプレイ装置にも十分に使用できる。
【実施例】
【００４７】
（実施例１）
レンズシート４の形状に切削した第１金型ロールを押出し機に近接して配置した。熱可塑性ポリカーボネート樹脂シートを溶融し、上記押出し機により成型し、当該シートが冷却、硬化する前に上記第１金型ロールによって成形して、レンチキュラーレンズを得た。
この方法により作製されたレンズシート４は、屈折率１．５９の熱可塑性ポリカーボネート樹脂に屈折率１．４９、粒径２μｍのスチレン粒子を０、１、１０、３０、４０重量％添加したものである。
このときレンズ形状は、ピッチ１４０μｍの凸シリンドリカル形状とピッチ３０μｍ頂角９０°の三角プリズムである。
レンズ形状がピッチ１４０μｍの凸シリンドリカル形状で作製したレンズシート４は、第１の粒子７を添加することにより、第１の粒子７を添加しなかったものと比較すると射光輝度分布形状は変化し、第１の粒子７の添加量が増加する毎にサイドローブが低減され、最大傾斜角が緩やかになり、視野角が広くなった。また、レンズ形状が頂角９０°の三角プリズムの形状で製作されたレンズシート４でも同様の効果が得られた。
【００４８】
（実施例２）
メチルアクリレート樹脂１００重量部に拡散材として平均粒径６μｍシリコンと４μｍシリコン系ビーズをそれぞれ４重量部添加し、同時に表面に、表面ヘイズ値２０％でＳｍ１００μｍをつける。
積層押出機によって上記積層シートを押出し、光拡散板１とする。このときの押出機のダイ温度２５０℃でロール温度（２ロール）９０℃に設定をし、樹脂の押出量を調整して、光拡散板１を製作する。
【００４９】
このようにして製作された光拡散板をディスプレイに設置をして、その条件に上記のレンズシートを積層して、ランプイメージ効果を確認し、結果を図１３に示す。
【００５０】
（実施例３）
拡散材の１種類を平均粒径３μｍのシリコン系ビーズとし、実施例２と同様な方法で光拡散板１を製作した。本実施例の拡散材量は３重量部であり、平均粒径６ミクロンの拡散材より少ない添加量である。そのランプイメージ効果結果を図１３に示す。
【００５１】
（実施例４）
拡散材２種類のうち１種類を樹脂の表層部スキン層に添加をし、他方の拡散材をコア層に添加をして、実施例２と同様な方法で光拡散板１を製作した。そのランプイメージ効果結果を図１３に示す。
【００５２】
（実施例５）
メチルアクリレート樹脂１００重量部に拡散材として平均粒径６μｍシリコンと４μｍシリコン系ビーズをそれぞれ４重量部添加し、表面状態にレンズ形状を賦形した。その形状は、レンチキュラー形状やプリズム形状で、実施例２と同様な方法で光拡散板１を製作した。そのランプイメージ効果結果を図１３に示す。
【００５３】
実施例２〜５のランプイメージ低減効果結果を図１３に示した。どの場合も、比較事例に比べてランプイメージは良好であり、目標に達成できた。
【図面の簡単な説明】
【００５４】
【図１】本発明の実施の形態に係る光散乱部材斜視図を示す説明図である。
【図２】（ａ）従来技術によるシリンドリカルレンズの光学シュミレーション結果を示す説明図である。（ｂ）従来技術によるシリンドリカルレンズの光学シュミレーション結果を示す説明図である。
【図３】本発明の実施の形態に係る例示的ディスプレイ装置を示す説明図である。
【図４】本発明の実施の形態に係る例示的ディスプレイ装置を示す説明図である。
【図５】本発明の実施の形態に係る例示的ディスプレイ装置を示す説明図である。
【図６】（ａ）本発明の実施の形態に係る例示的ディスプレイ装置を示す説明図である。（ｂ）本発明の実施の形態に係る例示的ディスプレイ装置を示す説明図である。
【図７】従来技術による液晶表示装置の構成例を示す説明図である。
【図８】従来技術による液晶表示装置の構成例を示す説明図である。
【図９】従来技術による液晶表示装置の構成例を示す説明図である。
【図１０】従来技術によるＢＥＦの斜視図を示す説明図である。
【図１１】従来技術による液晶表示用光学シートの構成例を示す説明図である。
【図１２】ＢＥＦを用いた光学シートから出射される光強度分布を示す説明図である。
【図１３】実施例２〜５と比較事例１〜４のランプイメージ低減効果を示す図である。
【符号の説明】
【００５５】
Ｈ、Ｋ光、Ｔ…レンズ支持部厚さ、α…レンズアレイの単位レンズの凹凸の谷部からの垂線と単位レンズの接線がなす角度、β…レンズシートの出射面に形成された単位レンズと光入射面に形成された凹凸構造のなす角、Ｌ…視認面（ディスプレイ表示面）１…光拡散部材、２…微粒子層、３…固定要素、４…レンズシート、５…レンズ部、７…第１拡散材、８…第２拡散材、３１、３３、７１、７３…偏光板、３２、７２…液晶パネル、３５…液晶層、３９…光学シート、４１、５１、７６…光源、４３…ランプハウス、４５…光反射板、４７、７９…導光板、４９…ＥＬ光源、５１、５３…ＬＥＤ光源、７０、７８、８２、８４…拡散フィルム、７４、７５…プリズム、７７…反射フィルム、１００…光拡散材の光入射面、１０１…光拡散材の光出射面、１０２…レンズシートの光入射面、１０３…レンズシートの光出射面、２００…空隙、３００…拡散シート、３０２…単位レンズの頂点付近。
【図１】
0005098520.tif 000002
【図２】
0005098520.tif 000003
【図３】
0005098520.tif 000004
【図４】
0005098520.tif 000005
【図５】
0005098520.tif 000006
【図６】
0005098520.tif 000007
【図７】
0005098520.tif 000008
【図８】
0005098520.tif 000009
【図９】
0005098520.tif 000010
【図１０】
0005098520.tif 000011
【図１１】
0005098520.tif 000012
【図１２】
0005098520.tif 000013
【図１３】
0005098520.tif 000014